(57)【要約】      （修正有）【課題】展開状態で立体的な装飾を施す装飾片が起立可能となるように構成された絵本に関し、興趣のみならず、予期できない新たな興趣を購入者、利用者に付与することができ、しかも、太陽電池の利用による新エネルギーを普及させる等の科学技術的観点に立脚し、これを児童にとっても大人にとっても理解し易いように視覚に訴える技術刊行物的な利用にも供することができ、さらには環境教育団体の販売促進用としての利用にも供することができるような絵本を提供する。【解決手段】絵本本体１を展開した際に装飾片２が起立しうるように、該装飾片２が前記絵本本体１に取り付けられ、且つ前記絵本本体１を展開した際に裸出されて受光しうるように太陽電池６が具備されていることを特徴とする。【選択図】図１
0003131457.tif 000002
【実用新案登録請求の範囲】
【請求項１】
絵本本体（１）を展開した際に装飾片（２）が起立しうるように、該装飾片（２）が前記絵本本体（１）に取り付けられ、且つ前記絵本本体（１）を展開した際に裸出されて受光しうるように太陽電池（６）が具備されていることを特徴とする絵本。
【請求項２】
太陽電池（６）が、色素増感型太陽電池である請求項１記載の絵本。
【請求項３】
色素増感型太陽電池が、絵の一部を構成し、且つ着色されたものである請求項１又は２記載の絵本。
【請求項４】
太陽電池（６）を電源とする駆動力によって、装飾片（２）が可動しうるように構成されている請求項１乃至３のいずれかに記載の絵本。
【請求項５】
太陽電池（６）を電源として発光する発光手段が具備されている請求項１乃至４のいずれかに記載の絵本。
【請求項６】
太陽電池（６）を電源として音声を発生しうる音声発生手段が具備されている請求項１乃至５のいずれかに記載の絵本。
【請求項７】
太陽電池（６）で受光され、発電された電力量を計測することのできる計測器（１０）が、さらに具備されている請求項１乃至６のいずれかに記載の絵本。
【請求項８】
計測器（１０）を収納することのできる収納ボックス（４）が、さらに絵本本体（１）に具備されている請求項７記載の絵本。
【請求項９】
収納ボックス（４）の収納された計測器（１０）の上方における絵本本体（１）の部分に、孔（１１）が穿設されている請求項８記載の絵本。
【請求項１０】
展開状態における絵本本体（１）上の側縁の近辺に緩衝材が設けられ、絵本本体（１）を閉じた状態において絵本本体（１）の対面する面間に緩衝材が介装されるように構成されている請求項１乃至９のいずれかに記載の絵本。
【考案の詳細な説明】
【技術分野】
【０００１】
本考案は絵本、さらに詳しくは、展開状態で立体的な装飾を施す装飾片が起立可能となるように構成された絵本に関する。
【背景技術】
【０００２】
絵本は、未だ文字を理解することのできない、或いは文字に興味を持ち始めた子供にとって最適な読み物である。そのため、従来では小学校に入学する前の幼児向けの読み物として一般に利用されており、また幼児教育の観点から種々の工夫がこらされた絵本が出版されている。そして、一般には絵本自体が幼児用の読み物であるという認識がなされている。
【０００３】
ところが、絵本は表示された絵のみならず、文字との併用によって多種多様なストーリー性をもたせることもできるので、作者の意図、趣向によって、より年齢の高い小学生の教育用としても利用されることがある。さらには著名な絵本作家の絵本は、表示された絵が趣向のある著作物として普及している場合もあることから、趣味的書籍として大人にも購入、利用されていることがある。
【０００４】
一方、平面的に表示された絵等では、視覚的興趣に限界があることから、絵本を展開したときに、所望の形状に形成され、所望の図柄、模様が表示された装飾片が起立しうるような立体的な絵本も開発されている。このような装飾片が起立しうる立体的な絵本も、当初は幼児向けとして、幼児の遊戯用、教育用に適した装飾片を具備したものであったが、一般の絵本の上述のような状況と同様に、より高い年齢層の子供や大人にも利用され、現在では「ポップアップ絵本」と称されて普及しつつあるものである。
【０００５】
しかし「ポップアップ絵本」といえども、普及するにつれて装飾片が起立しうるものであることは、購入、利用する前の段階で購入者、利用者に認識されているものなので、それ以上の新たな興趣を購入者、利用者にもたらすことはできなくなっている。
【０００６】
また、平面的な視覚に訴える一般の絵本であれ、立体的な「ポップアップ絵本」であれ、購入者、利用者においては表示された絵、図柄、文章それ自体に興趣が注がれており、購入者、利用者においては、絵画や小説等と同様に著作物としての観点から評価されているにとどまるものである。
【考案の開示】
【考案が解決しようとする課題】
【０００７】
本考案は、このような点に鑑みてなされたもので、装飾片を起立させるという立体的な絵本によって付与される興趣のみならず、予期できない新たな興趣を購入者、利用者に付与することができ、しかも、従来の絵本のように絵画や小説等の著作物としての観点からの評価でのみ購買意欲をそそるのみならず、太陽電池の利用による新エネルギーを普及させる等の科学技術的観点に立脚し、これを児童にとっても大人にとっても理解し易いように視覚に訴える技術刊行物的な利用にも供することができ、さらには環境教育団体の販売促進用としての利用にも供することができるような絵本を提供することを課題とするものである。
【課題を解決するための手段】
【０００８】
本考案は、このような課題を解決するためになされたもので、絵本本体１を展開した際に装飾片２が起立しうるように、該装飾片２が前記絵本本体１に取り付けられ、且つ前記絵本本体１を展開した際に裸出されて受光しうるように太陽電池６が具備されていることを特徴とする。
【０００９】
太陽電池６としては、色素増感型太陽電池を用いるのが好ましい。色素増感型太陽電池としては、たとえば絵の一部を構成し、且つ着色されたものを用いることが可能である。このような太陽電池６を電源とする駆動力によって、たとえば装飾片２が可動しうるように構成することが可能である。また、太陽電池６を電源として発光する発光手段を具備することも可能である。さらには、太陽電池６を電源として音声を発生しうる音声発生手段を具備することも可能である。
【００１０】
また太陽電池６で受光され、発電された電力量を計測することのできる計測器１０を、さらに具備させることも可能である。このような計測器１０を具備させることで、発電された電力量を把握することができ、その電力量に応じて太陽電池６での受光、集電の頻度を調整することができる。
【００１１】
この場合、計測器１０を収納することのできる収納ボックス４を、さらに絵本本体１に具備することも可能である。計測器１０が平面的なものである場合には、その計測器１０を絵本本体１の紙面に貼着する等によって取り付けることができるが、計測器１０が立体的なものの場合、上記のような収納ボックス４を設けることで、その収納ボックス４内に計測器１０を好適に収納することができる。また、この収納ボックス４は、計測器１０を収納できるのみならず、電気系統の配線やその他の部品等、太陽電池を利用することに伴う部品、付属品をも収納することができるので、電気系統の配線等を外部に露呈して外観体裁を損ねるようなこともない。
【００１２】
上記のように収納ボックス４内に計測器１０が収納される場合には、収納ボックス４の収納された計測器１０の上方における絵本本体１の部分に、孔１１を穿設することで、その計測器１０に表示された数値等を確認することができ、発電量を容易に把握することができる。
【００１３】
さらに、展開状態における絵本本体１上の側縁の近辺に緩衝材が設けられ、絵本本体１を閉じた状態において絵本本体１の対面する面間に緩衝材が介装されるように構成することも可能である。このように緩衝材を絵本本体１の対面する面間に介装することで、絵本本体１の対面する面間が直接接触することもなく、その面の損傷を好適に防止することができ、また介装されるものが緩衝材であるので、絵本本体の開閉を繰り返すような場合にも、緩衝材の緩衝効果によって、絵本本体の相対面する面に加わる衝撃も緩和され、対面する面の損傷をより確実に防止することができる。
【考案の効果】
【００１４】
本考案は、上述のように絵本本体を展開した際に装飾片が起立しうるように、該装飾片が前記絵本本体に取り付けられ、且つ前記絵本本体を展開した際に裸出されて受光しうるように、前記装飾片又は絵本本体に太陽電池が具備されているものであるため、たとえばその太陽電池を電源とする駆動力によって、展開時に起立する装飾片を動かすことができ、またその太陽電池を電源として別途設けた発光手段により発光させることもでき、さらには太陽電池を電源として別途設けた音声発生手段によって音声を発生させることもでき、装飾片を起立させることで興趣を付与できるのみならず、
上記のような太陽電池を利用した装飾片の動き、発光、音声発生等、従来の絵本では
予期できない新たな興趣を購入者、利用者に付与することができるという効果がある。
【００１５】
しかも、このような装飾片の動き、発光、音声発生等の新たな興趣を付与する媒体となるものが太陽電池であるので、新エネルギーとしての太陽電池の社会的普及にも
寄与しうるという効果がある。すなわち、太陽光は石油代替エネルギーであり、太陽電池はその太陽光という自然光を利用しうる次世代の新しいエネルギー源として社会的にも注目されており、その技術は現在では広く一般に知られるに至っている。
【００１６】
本考案は、太陽電池を電源として利用することで装飾片の動き、発光、音声発生等、従来の絵本では予期できない興趣を付与するにとどまらず、絵本という幼児向け、児童向けと一般には認識されている書籍に、太陽電池の技術を適用し、装飾片の形状、図柄、或いは絵本本体への表示内容等を選定することによって、科学技術や次世代の新エネルギーについてのストーリー性を本考案の絵本にもたせるようなことが可能となり、それによって、科学技術に携わることのない大人、或いは科学技術に興味のない大人であっても太陽電池のことを理解し易いように把握させることができ、また小学生等の児童に対しても太陽電池のことを理解し易いように把握させることができるので、教育用としても優れた教材にもなりうることとなる。さらには、たとえば環境教育活動の団体等に対する販売促進用としての利用にも供しうるものとなる。
【００１７】
また絵本という物品は本来開閉を繰り返すものであるから、絵本本体の展開時に太陽電池で受光、集電された電気エネルギーは、絵本本体を閉じることで無駄に消費されることがなく、本来の絵本の機能に即して使用すること自体が太陽電池の利用に適合したものとなる。
【００１８】
さらに、太陽電池として色素増感型太陽電池を用いる場合には、その太陽電池をたとえば合成樹脂製の可撓性シートや可撓性フィルムの形態とすることができるので、絵本の内部に組み込むのに非常に適した電源として用いることができる。しかも、一般のシリコン型の太陽電池に比べて製造コストが安価で、購入者自身で製作できるキットも販売されているので、絵本全体の製造コストが大幅に増大するようなこともなく、また可撓性シートや可撓性フィルムの形態とすることで嵩張ることもないので、本来平面的な物品である絵本に組み込まれる電源として適したものとなる効果がある。また、購入者自身で製作できるキットも販売されていることから、色素増感型太陽電池を用いるにもかかわらず、絵本の製作も簡易に行うことができる。
【００１９】
しかも、色素増感型太陽電池を用いる場合には、シリコン型太陽電池に比べて開発の歴史が新しく、未だ一般に十分には普及していないので、上記のような次世代の新エネルギーについてのストーリー性を絵本にもたせ、それによって、大人や児童の教育用としての利用、或いは環境教育活動の団体等に対する販売促進用としての利用にも供しうる等の実益が、一層顕著なものとなる。
【考案を実施するための最良の形態】
【００２０】
以下、本考案の実施形態について説明する。図１は一実施形態の絵本の展開状態を示す斜視図、図２はその部分拡大側面図、図３は絵本を閉じた状態の斜視図である。
本実施形態の絵本は、図１に示すように、絵本本体１と、該絵本本体１を展開状態としたときに起立可能に該絵本本体１に取り付けられた装飾片２とを具備して構成されている。絵本本体１は、さらに表紙用カバー体３と、後述する測定器等を収納するための収納用ボックス４と、台紙片５とを具備して構成されている。
【００２１】
より具体的には、表紙用カバー体３の内側に収納用ボックス４が取り付けられ、該収納用ボックス４の内側に台紙片５が取り付けられ、その台紙片５の内側に前記
装飾片２が取り付けられている。装飾片２は、絵本本体１を閉じた状態においては、
前記台紙片５内部に折り畳んで挟持され、上述のように絵本本体１を展開状態としたときに前記台紙片５上で起立可能となるように、該装飾片２の一部が前記台紙片５に取り付けられている。
【００２２】
装飾片２の形状や模様等は特に限定されるものではないが、本実施形態では、図１に示すように多数の装飾片２が具備され、花柄を模した複数の装飾片２ａ、少女の姿を模した１個の装飾片２ｂ、及び観覧車の形を模した１個の装飾片２ｃに大別することができる。
【００２３】
本実施形態においては、前記花柄を模した複数の装飾片２ａのうち、任意の数個の装飾片２ａに太陽電池６が具備されている。より具体的には、前記太陽電池６は、
詳細には図示しないが、装飾片２ａの花柄部分を構成する２枚の紙片間に挟持され、そのように２枚の紙片間に挟持された状態で、図１に示すように花柄部分の中心部に裸出するように設けられている。
【００２４】
太陽電池６として、本実施形態では色素増感型太陽電池が用いられている。色素増感型太陽電池は、透光性基板上に金属酸化物半導体のメソポーラス層を形成させ、
その表面上に色素を化学吸着させたものを負極、透光性基板を正極として、その間に酸化還元対（たとえばＩ-／Ｉ3-）を含む電解液を挟む構造のものである。色素が入射された光を吸収して励起状態になり、その電子が金属酸化物の伝導帯にすばやく注入され、それが金属酸化物層中を拡散して透光性基板に集電される。電子を失った色素は、電解液中のＩ-から電子を受け取って元に戻る一方、正極ではＩ3-が電子により還元されてＩ-に戻って回路が完結する。
【００２５】
色素増感型太陽電池を構成する透光性基板としては、たとえばソーダガラス、溶融石英ガラス、結晶石英ガラス等の透明ガラス基板、耐熱透光性樹脂からなる可撓性シート、可撓性フィルム等を用いることができる。ここで可撓性シート、可撓性フィルムとしては、たとえばポリエステル、ポリアクリル、ポリイミド、ポリテトラフルオロエチレン、ポリエチレン、ポリプロピレン、ポリエチレンテレフタレート等のシートやフィルムを用いることができる。本考案の対象となる絵本については、特に合成樹脂製の可撓性シートや可撓性フィルム等を透光性基板として好適に使用することができる。
【００２６】
さらに、金属酸化物半導体としては、酸化チタン、酸化亜鉛、酸化タングステン、チタン酸バリウム、チタン酸ストロンチウム等を用いることができる。とりわけ、酸化チタン或いは酸化亜鉛を用いることが望ましい。
【００２７】
金属酸化物半導体に吸着させる色素としては種々のものを用いることができる。たとえばキサンテン系色素のエオシンＹ、フルオレセイン、エリスロシンＢ、フロキシンＢ、ローズベンガル、フルオレクソン、マーキュロクロム、ジブロモフルオレセイン、ピロガロールレッドなど、クマリン系色素のクマリン３４３等、トリフェニルメタン系色素のブロモフェノールブルー、ブロモチモールブルー、フェノールフタレイン等が例示される。また、これら以外にシアニン系色素、メロシアニン系色素、ポルフィリン、フタロシアニン、ペリレンテトラカルボン酸誘導体、インジゴ色素、オキソノール色素や天然色素のアントシアニン、クチナシ色素、ウコン色素、ベニバナ色素、カロテノイド色素、コチニール色素、パプリカ色素、Ｒｕ、Ｏｓなどのポリピリジン錯体などを挙げることもできる。
【００２８】
さらに色素増感型太陽電池に用いる電解質としては、レドックス電解質を含む溶液、これをゲル化剤によって半固体化した電解質、ＣｕＩ、ＣｕＳＣＮ、ＮｉＯ、Ｃｕ2Ｏ、ＫＩなどのｐ型半導体固体ホール輸送材料等、種々のものを用いることができる。電解質中に存在させる酸化還元対としては、ヨウ素／ヨウ化物、臭素／臭化物などの酸化還元対を用いることができる。
【００２９】
さらに、少女の姿を模した装飾片２ｂと観覧車の形を模した装飾片２ｃは、前記花柄を模した装飾片２ａに具備された太陽電池６で受光がされたときに、その太陽電池６を電源とする駆動力によって動くように構成されている。具体的には、少女の姿を模した装飾片２ｂと観覧車の形を模した装飾片２ｃとのそれぞれ背面側にはモーターが設けられ、前記太陽電池６で受光されたときにモーターが駆動し、それによって少女の姿を模した装飾片２ｂは、たとえば手を振っているような左右の動きをし、また観覧車の形を模した装飾片２ｃは、その観覧車が回るような動きをするごときである。
【００３０】
たとえば観覧車の形を模した装飾片２ｃについて説明すると、その装飾片２ｃの背面側には、図２に示すようにモーター取付ボード７が取り付けられ、さらにそのモーター取付ボード７の背面側にモーター８が取り付けられている。そして前記モーター取付ボード７は、基台９の上部前面側に取り付けられており、その基台９が前記台紙片５に取り付けられており、それによって装飾片２ｃが台紙片５上に起立した状態となっている。
【００３１】
収納用ボックス４内には、上述のように測定器１０が収納されている。この測定器１０は、上記太陽電池６での受光による発電量を測定して表示するためのものである。その測定器１０で表示される数値等によって発電量を確認することができる。本実施形態では、目盛や針等を具備する一般的な測定器が用いられている。
【００３２】
図１には図示されていないが、太陽電池６、モーター８、測定器１０はそれぞれ配線によって電気的に接続されている。たとえば太陽電池６とモーター８とは並列的に接続され、測定器１０は太陽電池６及びモーター８に対して直列的に接続される。この場合、太陽電池６及びモーター８とは常時接続状態とされて、太陽電池６で受光され、集電された電気エネルギーによってモーター８が直ちに駆動されるように構成することが可能であり、また図１では図示されていないが、スイッチ等を設け、そのスイッチをＯＮ状態としたときに、太陽電池６とモーター８が接続状態となってモーター８が駆動されるように構成することも可能である。
【００３３】
収納用ボックス４内に収納された測定器１０で測定された残存充電量が外側から見えるように、台紙片５の、前記測定器１０が収納された上部の位置においては孔１１が穿設されている。
【００３４】
台紙片５の４角コーナー部のうちの２角の近傍には、緩衝材１２ａ、１２ｂが取り付けられている。この緩衝材１２ａ、１２ｂのうち、一方の緩衝材１２ａは比較的細長く形成され、他方の緩衝材１２ｂは比較的短く形成されている。これら緩衝材１２ａ、１２ｂは、図３に示すように絵本本体１が閉じられたときに、相互に対面する台紙片５、５間に介装された状態となる。これによって、台紙片５、５間には緩衝材１２ａ、１２ｂの厚みの分の隙間１３が形成されることとなる。このため、
対面する台紙片５、５は直接接触することがなく、上記装飾片２ａ、２ｂ、２ｃは、
対面する台紙片５、５に挟持された状態となることなく、上記所定寸法の隙間１３内に存在することとなる。尚、緩衝材１２ａ、１２ｂの素材としては、たとえば発泡ポリスチレン等の発泡性合成樹脂を用いることができる。ただし発泡性合成樹脂以外の素材のものを緩衝材１２ａ、１２ｂとして用いることも可能である。
【００３５】
上記のような構成からなる本実施形態の絵本を使用する場合には、図１に示すように絵本本体１を展開状態とする。このように絵本本体１を展開状態としたときに、起立可能となる多数の装飾片２が設けられており、またそれらの装飾片２のうち、太陽電池６が具備された装飾片２ａと、モーター８が具備された装飾片２ｂ、２ｃとの２種類の装飾片２が設けられているので、上記のように絵本本体１を展開すると、太陽光等の自然光や蛍光灯等の光源の光が太陽電池６に受光されるとともに集電され、その太陽電池６を電源として、装飾片２ｂ、２ｃに具備されたモーター８に電流が流れ、モーター８が駆動することとなる。或いは、別途設けられたスイッチをＯＮ状態とすることで、モーター８が駆動することとなる。
【００３６】
このようにモーター８が駆動することで、少女の姿を模した装飾片２ｂは、たとえば手を振っているような左右の動きをし、また観覧車の形を模した装飾片２ｃは、その観覧車が回るような動きをすることとなる。従って、このような装飾片２ｂ、２ｃに施された形状、図柄、模様等に応じた動きを、それぞれの装飾片２ｂ、２ｃがなすことで、使用者に独特な興趣をもたらすこととなる。
【００３７】
さらに、太陽電池６での受光による発電量を測定して表示する測定器１０が上述のように収納用ボックス４内に設けられ、しかもその測定器１０が収納された上部においては、上述のように台紙片５に孔１１が穿設されているので、その測定器１０で表示された数値等に基づいて、発電量を容易に確認することができるのである。
【００３８】
一方、絵本の不使用時においては、図３に示すように、絵本本体１を閉じた状態とする。これによって、同図に示すように、装飾片２ａ、２ｂ、２ｃは絵本本体１、より具体的には、絵本本体１を構成する表紙用カバー体３や台紙片５によって覆われることとなる。この結果、装飾片２ａに具備された太陽電池６は、上記絵本本体１の展開状態時のように外部に裸出することがないので、太陽光等の自然光や蛍光灯等の光源の光が太陽電池６に受光されることもない。従って、絵本本体１を閉じた状態においては、モーター８が駆動するようなこともないのである。
【００３９】
さらに、台紙片５の４角コーナー部のうちの２角の近傍に、上述のように緩衝材１２ａ、１２ｂが取り付けられているので、絵本本体１を閉じた状態においては、それらの緩衝材１２ａ、１２ｂが相互に対面する台紙片５、５間に介装された状態となる。これによって、台紙片５、５間に緩衝材１２ａ、１２ｂの厚みの分の隙間１３が形成されることとなる。この結果、対面する台紙片５、５は直接接触することがなく、上記装飾片２ａ、２ｂ、２ｃは、対面する台紙片５、５に挟持された状態となることなく、上記所定寸法の隙間１３内に存在することとなる。
【００４０】
そして、このような緩衝材１２ａ、１２ｂが台紙片５、５間に介装されて対面する台紙片５、５が直接接触することがないので、台紙片５の損傷が好適に防止される。また上述のように発泡ポリスチレン等の発泡性合成樹脂で構成されているので、絵本本体１の開閉を繰り返すような場合に、相対面する台紙片５に加わる衝撃も緩和され、台紙片５の損傷がより確実に防止されることとなるのである。
【００４１】
本実施形態では、上述のように絵本本体１を展開した状態においては、装飾片２ａ、２ｂ、２ｃが起立し、そのような装飾片２ａ、２ｂ、２ｃの起立による興趣を使用者にもたらすだけではなく、装飾片２ａに具備された太陽電池６によって受光、集電された電気エネルギーによって装飾片２ａ、２ｂ、２ｃが所望の動きをすることになり、これが一層使用者に興趣をもたらすこととなる。
【００４２】
特に、本実施形態では、太陽電池６として色素増感型の太陽電池が用いられているので、その太陽電池をたとえば合成樹脂製の可撓性シートや可撓性フィルムの形態とすることができ、絵本本体１の内部に組み込むのに非常に適した電源として用いることができる。しかも、一般のシリコン型の太陽電池に比べて製造コストが安価なので絵本全体の製造コストが大幅に増大するようなこともなく、また可撓性シートや可撓性フィルムの形態とすることで嵩張ることもないので、この点においても本来平面的な対象物である絵本に組み込まれる電源として適したものとなるのである。
【００４３】
次に、図４は他の実施形態の斜視図を示すものである。この図４の実施形態においても、上記実施形態１と同様に絵本本体１、多数の装飾片２、表紙用カバー体３、台紙片５を具備して構成されている。そして、多数の装飾片２は、花柄を模した複数の装飾片２ａ、少女の姿を模した１個の装飾片２ｂ、風車の形を模した１個の装飾片２ｄに大別することができ、この点でも上記実施形態１とほぼ同様である。
ただし、この図４の実施形態では、上記図１の実施形態１のような測定器１０を収納するための収納用ボックス４は設けられておらず、従って、測定器１０としては、上記実施形態１のような立体的なものではなく、平面的に形成されたものが用いられている。この平面的な測定器１０は、たとえば液晶の表示部を有し、前記台紙片５上の比較的側方に貼着して取り付けられている。
【００４４】
さらに、図４の実施形態においては、たとえばグリーティングカードのような見開き可能なカード１４が、前記測定器１０が取り付けられている台紙片５の側方側とは反対側の側方側に貼着して取り付けられている。この見開き可能なカード１４の内部にも上記のような色素増感型の太陽電池を具備させることができる。このようなカード１４の内部に具備される太陽電池は、たとえば発光手段や、音声を発生する音声発生手段と電気的に接続され、カード１４を開いたときに、太陽電池で受光され集電された電気エネルギーは、発光手段によって光に変換され、また音声発生手段によって音声に変換されることとなる。
【００４５】
従って、本実施形態においては、絵本本体１を展開状態とすることによって、花柄を模した装飾片２ａに具備された太陽電池６で受光され、集電された電気エネルギーがモーター８の駆動力に変換されて少女の姿を模した装飾片２ｂが動くとともに、風車の形を模した装飾片２ｃが回転して、これらの動きが使用者に興趣をもたらすとともに、さらにカード１４を展開することによって、そのカード１４の内部に具備された太陽電池が受光して、発光手段によって発光し、或いは音声発生手段によって音声が発生されるので、上記装飾片２ｂ、２ｃの動き以外の光や音声によっても使用者に興趣をもたらすことができるのである。
【００４６】
尚、上記実施形態では、太陽電池として色素増感型の太陽電池を用いたため、上記のような好ましい効果が得られたが、これに限らず、一般のシリコン型の太陽電池を用いることも可能である。ただし、シリコン型の太陽電池に比べて、色素増感型太陽電池の方が、本来平面的な物品であるとともに製造コストの極端な増大が不適と一般に認められている絵本という対象物の内部に組み込む電源として、より好適なものであることは上述のとおりである。
【００４７】
また、太陽電池によって受光、集電された電気エネルギーを変換する媒体となるものも、上記実施形態のような装飾片２ｂ、２ｃを動かすようなモーター８の駆動力や、光、音声等、その種類を問うものではない。尚、１つの太陽電池で受光、集電された電気エネルギーを、装飾片を動かせる駆動力、発光、音声の発生に適宜使い分けることができるように、スイッチを設けて切り換え可能とすることも可能である。
【００４８】
さらに、上記図１の実施形態では、装飾片２として花柄を模した装飾片２ａ、少女の姿を模した装飾片２ｂ、及び観覧車の形を模した装飾片２ｃを形成し、また図４の実施形態では、この他に観覧車の形を模した装飾片２ｄを形成したが、装飾片２の形状、図柄、模様は上記実施形態に限定されるものではなく、任意に変更可能である。いずれにしても、絵本のストーリー性に応じて、装飾片２の形状、図柄、模様は適宜変更することができる。
【００４９】
さらに、上記実施形態では、太陽電池６が装飾片２ａに取り付けられて具備されていたが、太陽電池６が取り付けられる箇所は上記実施形態のような装飾片２ａに限定されるものではなく、たとえば絵本本体１に取り付けられていてもよく、その取り付けられる箇所は問うものではない。要は、絵本本体１を展開した際に裸出されて受光しうるように、太陽電池６が具備されていればよいのである。
【００５０】
さらに、上記実施形態では、１枚の台紙片５のみが絵本本体１内に具備されている場合について説明したが、これに限らず、一般の絵本と同様に多数枚の台紙片５が具備されていてもよい。この場合、装飾片２が起立可能に取り付けられ太陽電池６が具備された台紙片５は１枚のみであって、他の台紙片５は一般の絵本と同様に絵が描かれているのみのものであってもよく、また複数の台紙片５にそれぞれ装飾片２が起立可能に取り付けられ太陽電池６が具備されていてもよい。
【図面の簡単な説明】
【００５１】
【図１】一実施形態の絵本の展開状態を示す斜視図。
【図２】一実施形態の絵本の部分拡大側面図。
【図３】絵本を閉じた状態の斜視図。
【図４】他実施形態の絵本の展開状態を示す斜視図。
【００５２】
１…絵本本体            ２…装飾片
６…太陽電池          １０…測定器
【図１】
0003131457.tif 000003
【図２】
0003131457.tif 000004
【図３】
0003131457.tif 000005
【図４】
0003131457.tif 000006